(57)【特許請求の範囲】
【請求項１】
目的地までの経路を案内する案内手段と、自車位置を検出する検出手段と、進路上の渋滞の状態に関する情報を取得する取得手段と、通信手段とを備え、
進路上に予め定めた基準値以上の渋滞区間がある場合に休憩の誘導を行なうとともに、
渋滞の状態に関する情報を取得する取得手段からの情報によって進路上の渋滞が解消した場合に該渋滞の解消の情報を前記通信手段によって休憩中の運転者に対して通知するようにしたことを特徴とする車両用ナビゲーション装置。
【請求項２】
進路上に渋滞区間がある場合になされる誘導が進路の途上の休憩場所への経路誘導であることを特徴とする請求項１に記載の車両用ナビゲーション装置。
【請求項３】
進路と休憩の設定がなされた場合に、前記取得手段が渋滞の状態に関する情報を取得するとともに、基準値以上の渋滞がある場合に最適な休憩の変更表示を行なうことを特徴とする請求項１に記載の車両用ナビゲーション装置。
【請求項４】
前記最適な休憩の変更表示が進路上における渋滞予測に基いてなされることを特徴とする請求項３に記載の車両用ナビゲーション装置。
【請求項５】
目的地までの経路を案内する案内手段と、自車位置を検出する検出手段と、進路上の渋滞の状態に関する情報を取得する取得手段と、通信手段とを備え、
進路上に予め定めた基準値以上の渋滞区間がある場合に休憩の誘導を行なうとともに、
休憩中の運転者からの問合わせに応じて該問合わせのときの進路上の渋滞状況、または該問合わせのときに出発したと仮定した場合の目的地到着予定時刻を前記通信手段によって通知するようにしたことを特徴とする車両用ナビゲーション装置。
【請求項６】
進路上に渋滞区間がある場合になされる誘導が進路の途上の休憩場所への経路誘導であることを特徴とする請求項５に記載の車両用ナビゲーション装置。
【請求項７】
進路と休憩の設定がなされた場合に、前記取得手段が渋滞の状態に関する情報を取得するとともに、基準値以上の渋滞がある場合に最適な休憩の変更表示を行なうことを特徴とする請求項５に記載の車両用ナビゲーション装置。
【請求項８】
前記最適な休憩の変更表示が進路上における渋滞予測に基いてなされることを特徴とする請求項５に記載の車両用ナビゲーション装置。
【発明の詳細な説明】
【０００１】
【発明の属する技術分野】
本発明は車両用ナビゲーション装置に係り、とくに車両に設けられ、目的地までの経路を案内する案内表示を行なうようにした車両用ナビゲーション装置に関する。
【０００２】
【従来の技術】
車両用ナビゲーション装置は、距離センサや方位センサ、およびＧＰＳ（Ｇｌｏｂａｌ  Ｐｏｓｉｔｉｏｎｉｎｇ  Ｓｙｓｔｅｍ）装置等によって算出された車両の現在位置を、道路ネットワークを数値化して記録した地図データベースを用いて作成した現在位置周辺の地図上に表示し、さらに運転者が設定した目的地と車両が走行している現在地もしくは任意の地点を結ぶ誘導経路を自動的に算出して上記地図上に表示するとともに、車両が交差点や分岐点等に近づくと、音声や交差点の拡大図によって次にとるべき進路に関する行動を運転者に報知し、見知らぬ土地や夜間の走行時に、車両を安全確実に誘導して運転者の便宜を図るものである。
【０００３】
また特開平８−３１３２８６号公報に示されるように、上記誘導路の道路ネットワークデータを基に、目的地までの移動に要する所要時間を計算したり、当着予想時刻を表示する機能を設けたナビゲーション装置が提案されている。
【０００４】
【発明が解決しようとする課題】
従来のナビゲーション機器においては、ＧＰＳ等による自車位置検出を行なうとともに、目的地までの進路を設定した経路上を走行している際に、例えばＶＩＣＳ等によって取得した交通情報で、進行経路上に渋滞が存在する場合に、その渋滞を回避するような機能を設け、これによって経路の再設定を行なう機能を有するものがある。
【０００５】
このような経路の再設定機能の誘導に基いて走行を行なうと、例えば高速道路上を走行しているときにＶＩＣＳによって渋滞情報を取得した場合に、この渋滞を回避する手段として、一般道に下りて渋滞地点を迂回した後、再び同一の高速道路に移行するように誘導が設定される場合がある。このような誘導は必ずしも適正な誘導であるとは言えず、場合によっては有料道路の料金が余分に加算される等の不具合があった。また一般道に移行して渋滞地点を迂回しても、トータルとしての時間があまり節約できないという欠点があった。
【０００６】
本発明はこのように渋滞に基く経路の再設定を基にした誘導に伴う不具合を解消し、渋滞の際には休憩場所等へ誘導することによって合理的な運行を行なうようにした車両用ナビゲーション装置を提供することを目的とする。
【０００７】
【課題を解決するための手段】
本願の主要な発明は、目的地までの経路を案内する案内手段と、自車位置を検出する検出手段と、進路上の渋滞の状態に関する情報を取得する取得手段と、通信手段とを備え、
進路上に予め定めた基準値以上の渋滞区間がある場合に休憩の誘導を行なうとともに、
渋滞の状態に関する情報を取得する取得手段からの情報によって進路上の渋滞が解消した場合に該渋滞の解消の情報を前記通信手段によって休憩中の運転者に対して通知するようにしたことを特徴とする車両用ナビゲーション装置に関するものである。
【０００８】
ここで、進路上に渋滞区間がある場合になされる誘導が進路の途上の休憩場所への経路誘導であることが好ましい。また進路と休憩の設定がなされた場合に、前記取得手段が渋滞の状態に関する情報を取得するとともに、基準値以上の渋滞がある場合に最適な休憩の変更表示を行なうことが好適である。さらに前記最適な休憩の変更表示が進路上における渋滞予測に基いてなされることが好適である。
【０００９】
本願の別の主要な発明は、目的地までの経路を案内する案内手段と、自車位置を検出する検出手段と、進路上の渋滞の状態に関する情報を取得する取得手段と、通信手段とを備え、
進路上に予め定めた基準値以上の渋滞区間がある場合に休憩の誘導を行なうとともに、
休憩中の運転者からの問合わせに応じて該問合わせのときの進路上の渋滞状況、または該問合わせのときに出発したと仮定した場合の目的地到着予定時刻を前記通信手段によって通知するようにしたことを特徴とする車両用ナビゲーション装置に関するものである。
【００１０】
ここで、進路上に渋滞区間がある場合になされる誘導が進路の途上の休憩場所への経路誘導であることが好ましい。また進路と休憩の設定がなされた場合に、前記取得手段が渋滞の状態に関する情報を取得するとともに、基準値以上の渋滞がある場合に最適な休憩の変更表示を行なうことが好適である。さらに前記最適な休憩の変更表示が進路上における渋滞予測に基いてなされることが好適である。
【００１１】
本願に含まれる発明の好ましい態様は、目的地までの経路を案内する手段と、例えばＧＰＳのように自車位置を検出する手段と、例えばＶＩＣＳのような道路の状態を取得する手段とを備え、進路上に予め定められた基準以上の渋滞区間がある場合に、予め設定した休憩場所への経路誘導を行なうことを特徴としたナビゲーション機器である。このようなナビゲーション機器において携帯電話等の通信手段を備え、休憩中の運転者に対して、当該進路上の渋滞が解消したことを通知する機能を有するようにしたナビゲーション機器である。また上記のようなナビゲーション機器において、携帯電話等の通信手段を備え、休憩中の運転者からの問合わせに応じて、現在の進路上の渋滞状況や現在出発した場合の目的地到着予定時刻等の情報を通知する機能を有するようにしたナビゲーション機器である。
【００１２】
このような態様によれば、目的地までの経路上の適当な休憩場所を案内することによって、運転者にとってより負担の少ない円滑な運行のための経路誘導が実現されるとともに、渋滞を迂回するために不必要に迂回路を通ったり高速道路から一般道へ下りたりする無駄な運転動作を省略することが可能になる。
【００１３】
【発明の実施の形態】
以下本発明を図示の実施の形態によって説明する。図１は本発明の一実施の形態に係る車両のナビゲーション装置を示すものであって、このナビゲーション装置は情報処理を行なうＣＰＵを備えるとともに、ＣＰＵ１０に対してＧＰＳから成る測位手段１１が接続されている。測位手段１１はアンテナ１２によって衛星１３から電波を受信し、自車位置を割出すようにしている。またこのナビゲーション装置はＤＶＤドライブ１４によってＤＶＤから地図情報を読出すとともに、画像処理装置１５によって処理してＬＣＤパネルからの表示装置１６によって表示を行なうようにしている。
【００１４】
図２はこのようなナビゲーション装置のデータバスに沿った各装置の配列を示しており、上述の如くＣＰＵ１０、測位手段１１、ＤＶＤドライブ１４、表示装置１６以外に、情報を記憶しておくメモリ２０、目的地等の入力を行なう入力装置２１、道路情報取得手段２２、通信手段２３等を備え、これらがデータバス上で互いに情報の交換を行なうようになっている。
【００１５】
ここでとくに測位手段１１はＧＰＳから成り、衛星１３からの電波によって車両の現在の位置を知るためのものである。また表示部１６は地図等を表示するためのＬＣＤパネルから成る表示装置である。メモリ２０はプログラムやデータを保存するメモリである。ＣＰＵ１０は測位演算や地図描画の処理および制御を行なうためのものである。またＤＶＤドライブ１４は地図データが記録されたＤＶＤディスクから地図等のデータの読出しを行なうものである。なおこのようなＤＶＤドライブ１４はＣＤ−ＲＯＭドライブやハードディスクドライブ、あるいは不揮発性半導体メモリに置換えるようにしてもよい。また入力装置２１は通常のナビゲーション機器の操作を行なうとともに、所望の地図表示の方法や縮尺の登録の読出しを行なうためのものである。
【００１６】
またこの装置に設けられている道路情報取得手段２２は、ＶＩＣＳのような渋滞情報を取得する手段である。また通信装置２３は、例えば携帯電話等の通信装置であって、渋滞解消時に休憩中の運転者の持つ携帯電話等に渋滞解消を通知し、あるいはまた運転者の持つ携帯電話からの問合わせに応じて現在の渋滞状況等の回答あるいは通知をするためのものである。なおこのような通信装置は公衆電話回線を用いないものであってもよい。
【００１７】
ここでＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）は、財団法人日本道路交通情報センターが収集した後編集および処理した渋滞や交通規制等の道路交通情報をリアルタイムに送信し、カーナビゲーション等の車載機器に、文字や図形で表示するシステムである。とくにＶＩＣＳでは渋滞情報や目的地までの所要時間、事故・工事情報や車速規制・車線規制情報、駐車場の位置や満車・空車情報等を供給する。ここで情報の電送媒体としては電波ビーコンあるいは光ビーコンが用いられ、車載機器が受信して文字表示、簡易図形表示、地図表示等を行なうことにより、運転者に対して上記の情報を伝達するものである。
【００１８】
次にこのような車両用ナビゲーション装置の動作について説明する。図３はこのようなナビゲーション装置による経路の再設定の動作を示すものであって、このナビゲーション装置の図２に示す道路情報取得手段２２が渋滞情報を取得する。そして渋滞が経路上の地点での渋滞かどうかの判断を行なう。経路上での渋滞の場合には経路上での休憩場所の選択を行なうとともに、休憩場所を立寄り地点として経路の再設定を行なう。従ってこのように再設定された経路に沿って走行すると、やがて休憩地点に誘導されるようになる。なお経路上の渋滞でない場合には、上記のような再設定が行なわれない。
【００１９】
図４はこのような設定による誘導に基いて運転者が休憩場所で休憩をとっている際に、渋滞が解消した場合に、そのことを運転者に対して通知させる動作を示している。すなわち例えばサービスエリアの駐車場に車両を停止している場合においても、この車両のカーナビゲーション装置は常にウォッチング動作を行なっており、図２に示す道路情報取得手段２２が渋滞情報を取得する。そしてこのような渋滞情報から進路上の渋滞が解消したかどうかの判別を行なうとともに、渋滞が解消したと判別した場合には、図２に示す通信装置２３によって休憩中の運転者に対して渋滞が解消したことを通知する。なおこの通知は例えば携帯電話等によって行なわれる。
【００２０】
上記のようなカーナビゲーション装置から運転者への通知に代えて、図５に示すように運転者からの問合わせに応答してカーナビゲーション装置が通知を行なうことができる。すなわち休憩中の運転者が携帯電話を用いて駐車場に停止している車両のカーナビゲーション装置に問合わせを行なう。このような問合わせがあった場合にはナビゲーション装置の道路情報取得手段２２が渋滞情報の取得を行なうとともに、取得済み携帯情報の照会を行なう。そしてこのような照会に基いて予め設定された経路データへこの結果を反映させ、しかも結果をカーナビゲーション装置の通信装置２３によって携帯電話等を介して休憩中の運転者に対して通知する。従って運転者は、休憩中でも必要に応じて渋滞の情報を任意に取得することが可能になる。
【００２１】
図６はカーナビゲーション装置による進路と休憩の予定の変更表示の動作を示している。所定の地点へ向けて運転する場合に運転者はまず進路と休憩の設定等をこのカーナビゲーション装置の入力装置２１によって行なう。するとこのカーナビゲーション装置は道路情報取得手段２２によって渋滞情報を取得するとともに、取得された渋滞情報に基いて渋滞予測を行なう。そして渋滞予測によって休憩の変更が必要がどうかの判断を行なうとともに、必要な場合には進路と休憩の予定の変更表示を行なう。従ってこのような休憩の予定の変更表示に応じて運転を行なうことによって、最適な運行が行なわれることになる。
【００２２】
本願の主要な発明は、目的地までの経路を案内する案内手段と、自車位置を検出する検出手段と、進路上の渋滞の状態に関する情報を取得する取得手段と、通信手段とを備え、進路上に予め定めた基準以上の渋滞区間がある場合に休憩の誘導を行なうとともに、渋滞の状態に関する情報を取得する取得手段からの情報によって進路上の渋滞が解消した場合に該渋滞の解消の情報を通信手段によって休憩中の運転者に対して通知するようにしたものである。
【００２３】
従ってこのような車両用ナビゲーション装置によれば、進路上に予め定めた基準以上の渋滞区間がある場合には、車両用ナビゲーション装置によって適正な休憩の誘導が行なわれることになり、このような誘導に応じて最適な運転を行なうことが可能になる。とくに進路上に渋滞区間がある場合になされる誘導が進路の途上の休憩場所の経路誘導である場合には、渋滞に巻込まれる前に休憩場所で休憩する誘導が適正に行なわれることになる。
【００２４】
本願の別の主要な発明は、目的地までの経路を案内する案内手段と、自車位置を検出する検出手段と、進路上の渋滞の状態に関する情報を取得する取得手段と、通信手段とを備え、進路上に予め定めた基準値以上の渋滞区間がある場合に休憩の誘導を行なうとともに、休憩中の運転者からの問合わせに応じて該問合わせのときの進路上の渋滞状況、または該問合わせのときに出発したと仮定した場合の目的地到着予定時刻を通信手段によって通知するようにしたものである。
【００２５】
従ってこのような車両用カーナビゲーション装置によれば、基準値以上の渋滞区間があるために行なわれた誘導による休憩中に、運転者が問合わせを行なうことによって、進路上の渋滞状況、あるいは目的地到着予定時刻を通信手段によって知ることができるようになる。
【図面の簡単な説明】
【図１】車両用ナビゲーション装置のシステム構成を示すブロック図である。
【図２】同データバスに沿ったシステムの接続関係を示すブロック図である。
【図３】経路の再設定の動作を示すフローチャートである。
【図４】渋滞の解消の通知の動作を示すフローチャートである。
【図５】休憩中の運転者からの問合わせに対する通知の動作を示すフローチャートである。
【図６】進路と休憩の変更表示の動作を示すフローチャートである。
【符号の説明】
１０‥‥ＣＰＵ、１１‥‥測位手段（ＧＰＳ）、１２‥‥アンテナ、１３‥‥衛星、１４‥‥ＤＶＤドライブ、１５‥‥画像処理装置、１６‥‥表示装置（ＬＣＤパネル）、２０‥‥メモリ、２１‥‥入力装置、２２‥‥道路情報取得手段、２３‥‥通信装置
【図１】
0004006576.tif 000002
【図２】
0004006576.tif 000003
【図３】
0004006576.tif 000004
【図４】
0004006576.tif 000005
【図５】
0004006576.tif 000006
【図６】
0004006576.tif 000007